(57)【要約】    【課題】  ＡＤＳＬ網を用いたＶｏＩＰ通話を行う場合に、通信先のＩＰアドレスを調べなくても、ＶｏＩＰ通話が可能なＶｏＩＰ通信システム、宅内システム及びＶｏＩＰ端末を実現する。    【解決手段】ＡＤＳＬ網に接続されたＶｏＩＰ通信が可能な二つの宅内システムの、当該二つの宅内システムのＶｏＩＰ端末に接続された電話機の間で通話をする通信システムにおいて、送信側宅内システム電話機より受信側宅内システム電話機にＰＢ信号を送信することにより、通話状態とし、前記二つの宅内システムの間で、前記ＶｏＩＰ端末のＩＰアドレスの交換を行ったのち、一度通話を切断し、ＶｏＩＰでの接続を行うためのＩＰデータによる送信を行い、ＶｏＩＰ通話を行なうことを特徴とするＶｏＩＰ通信システム。【選択図】      図１
2005123733.tif 000002
【特許請求の範囲】
【請求項１】
ＡＤＳＬ網に接続された宅内システムのＶｏＩＰ端末に接続された電話機の間で通話をする通信システムにおいて、
宅内システムの電話機より送出されるＰＢ信号によって、前記宅内システム間で、前記ＶｏＩＰ端末のＩＰアドレスの交換を行うことにより、ＶｏＩＰ通話を行うことを特徴とするＶｏＩＰ通信システム。
【請求項２】
発信側の宅内システムの電話機よりアナログ電話の電話番号宛に発信し、受信側の宅内システムの電話機が着信応答した後、
前記ＰＢ信号を送信することにより、前記宅内システムの間で、前記ＶｏＩＰ端末のＩＰアドレスの交換を行い、
通話を切断した後、ＶｏＩＰでの接続を行うためのＩＰデータによる送信を行い、ＶｏＩＰ通話を行なうことを特徴とする請求項１に記載のＶｏＩＰ通信システム。
【請求項３】
発信側の宅内システムの電話機から送出される前記ＰＢ信号がアナログ電話の電話番号を示すかＩＰアドレスを示すかを判別し、
アナログ電話の電話番号を示す場合に、前記ＰＢ信号を送信することにより、前記宅内システムの間で、前記ＶｏＩＰ端末のＩＰアドレスの交換を行うことを特徴とする請求項２に記載のＶｏＩＰ通信システム。
【請求項４】
発信側の宅内システムが受信側の宅内システムから前記ＰＢ信号によって前記ＩＰアドレスを受信できない場合、一般電話回線による通話を行うことを特徴とする請求項２又は請求項３に記載のＶｏＩＰ通信システム。
【請求項５】
前記ＩＰアドレスの交換を、前記ＰＢ信号の代わりにモデム信号を用いて行うことを特徴とする請求項１に記載のＶｏＩＰ通信システム。
【請求項６】
前記ＩＰアドレスに加えて、前記ＰＢ信号によりイーサネット(R)で使用するＭＡＣアドレスの交換を行うことを特徴とする請求項１から請求項５の何れか１項に記載のＶｏＩＰ通信システム。
【請求項７】
ＡＤＳＬ網に接続されたＶｏＩＰ通信が可能な宅内システムであって、
宅内システムの電話機より送出されるＰＢ信号によって、前記宅内システム間で、前記ＶｏＩＰ端末のＩＰアドレスの交換を行うことにより、ＶｏＩＰ通話を行うＶｏＩＰ端末を備えることを特徴とする宅内システム。
【請求項８】
前記ＶｏＩＰ端末が、
発信したアナログ電話の電話番号に対して受信側の宅内システムの電話機が着信応答した後、
前記ＰＢ信号を送信することにより、前記宅内システムの間で、前記ＶｏＩＰ端末のＩＰアドレスの交換を行い、
通話を切断した後、ＶｏＩＰでの接続を行うためのＩＰデータによる送信を行い、ＶｏＩＰ通話を行なうことを特徴とする請求項７に記載の宅内システム。
【請求項９】
前記ＶｏＩＰ端末が、
発信側の宅内システムの電話機から送出される前記ＰＢ信号がアナログ電話の電話番号を示すかＩＰアドレスを示すかを判別し、
アナログ電話の電話番号を示す場合に、前記ＰＢ信号を送信することにより、前記宅内システムの間で、前記ＶｏＩＰ端末のＩＰアドレスの交換を行うことを特徴とする請求項８に記載の宅内システム。
【請求項１０】
前記ＶｏＩＰ端末が、
発信側の宅内システムが受信側の宅内システムから前記ＰＢ信号によって前記ＩＰアドレスを受信できない場合、一般電話回線による通話を行うことを特徴とする請求項８又は請求項９に記載の宅内システム。
【請求項１１】
ＡＤＳＬ網に接続されたＶｏＩＰ通信が可能な宅内システムに備えられるＶｏＩＰ端末であって、
宅内システムの電話機より送出されるＰＢ信号によって、前記宅内システム間で、前記ＶｏＩＰ端末のＩＰアドレスの交換を行うことにより、ＶｏＩＰ通話を行うことを特徴とするＶｏＩＰ端末。
【請求項１２】
発信したアナログ電話の電話番号に対して受信側の宅内システムの電話機が着信応答した後、
前記ＰＢ信号を送信することにより、前記宅内システムの間で、前記ＶｏＩＰ端末のＩＰアドレスの交換を行い、
通話を切断した後、ＶｏＩＰでの接続を行うためのＩＰデータによる送信を行い、ＶｏＩＰ通話を行なうことを特徴とする請求項１１に記載のＶｏＩＰ端末。
【請求項１３】
発信側の宅内システムの電話機から送出される前記ＰＢ信号がアナログ電話の電話番号を示すかＩＰアドレスを示すかを判別し、
アナログ電話の電話番号を示す場合に、前記ＰＢ信号を送信することにより、前記宅内システムの間で、前記ＶｏＩＰ端末のＩＰアドレスの交換を行うことを特徴とする請求項１２に記載のＶｏＩＰ端末。
【請求項１４】
発信側の宅内システムが受信側の宅内システムから前記ＰＢ信号によって前記ＩＰアドレスを受信できない場合、一般電話回線による通話を行うことを特徴とする請求項１２又は請求項１３に記載のＶｏＩＰ端末。
【発明の詳細な説明】
【技術分野】
【０００１】
本発明はＶｏＩＰ網を用いたＶｏＩＰ通話方法に関し、特に、ＡＤＳＬ網を介したＶｏＩＰ通信システム、宅内システム及びＶｏＩＰ端末に関する。
【背景技術】
【０００２】
近年、インターネットの急速な普及に伴い、電話線の速度の遅い欠点を解決する方法として、非対称ディジタル加入者通信線（以下ＡＤＳＬと略す）が考案され、高速通信に供せられるようになった。
【０００３】
ＡＤＳＬでは、インターネットによるデータサービスに加えて、電話についてもサービスが開始されている。新しい通信サービスであるボイスオーバーインタネットプロトコル（以下ＶｏＩＰと略す）電話サービスの目的は、距離・時間に依存したサービスをより低価格で提供することにある。
【０００４】
しかし、ＡＤＳＬを用いて電話サービスを行う場合、インタネットプロトコル（以下ＩＰと略す）アドレスと電話番号の対応付けが必要となる。
【０００５】
このためのシステムとして、ＩＰアドレスと電話番号を関連づける役割をするサーバーをネットワーク上に配することにより、両者を対応づける方法が提案されている。この技術の一例が特開２００１−１１１６２４号公報（特許文献１）に記載されている。
【０００６】
また、別の方法として、ＶｏＩＰ電話機と同一ローカルエリアネットワーク上に設置した端末装置を配する方法が提案されている。
【特許文献１】特開２００１−１１１６２４号公報
【発明の開示】
【発明が解決しようとする課題】
【０００７】
上述した従来の技術は、いずれも以下に述べるような問題点があった。
【０００８】
例えば、ＩＰアドレスと電話番号を関連づける役割をするサーバーをネットワーク上に配することにより、両者を対応づける特許文献１の方法が提案されている。この方法では、接続相手先のＩＰアドレスを予め当該サーバーに入力する必要がある。また、ＩＰアドレスの不明な電話番号に対しては、接続できないという問題がある。
【０００９】
また、電話機と同一ローカルエリアネットワーク上に設置された端末装置を配する方法では、当該端末装置に電話番号とＩＰアドレスを関連づける電話帳を内蔵しており、送信を行う際に、当該端末装置に接続相手先のＩＰアドレスを問い合わせるというものである。この方法でも、接続相手先のＩＰアドレスを予め入力する必要がある。また、やはりＩＰアドレスの不明な電話番号に対しては、接続することができないという問題がある。
【００１０】
本発明の第一の目的は、上記従来技術の欠点を解決し、ＶｏＩＰを使用した電話を用いる際に、ＩＰアドレスの入力をすることなく、ＶｏＩＰ通話を可能とするＶｏＩＰ通信システム、宅内システム及びＶｏＩＰ端末を提供することにある。
本発明の第二の目的は、ＶｏＩＰ対応の不明な通話先に対しても、ＶｏＩＰ通話を可能とすることにより、ユーザーが低価格で通話可能な、ＶｏＩＰ通信システム、宅内システム及びＶｏＩＰ端末を提供することにある。
【課題を解決するための手段】
【００１１】
上記目的を達成するための本発明は、ＡＤＳＬ網に接続された宅内システムのＶｏＩＰ端末に接続された電話機の間で通話をする通信システムにおいて、宅内システムの電話機より送出されるＰＢ信号によって、前記宅内システム間で、前記ＶｏＩＰ端末のＩＰアドレスの交換を行うことにより、ＶｏＩＰ通話を行うことを特徴とする。
【００１２】
請求項２の本発明のＶｏＩＰ通信システムは、発信側の宅内システムの電話機よりアナログ電話の電話番号宛に発信し、受信側の宅内システムの電話機が着信応答した後、前記ＰＢ信号を送信することにより、前記宅内システムの間で、前記ＶｏＩＰ端末のＩＰアドレスの交換を行い、通話を切断した後、ＶｏＩＰでの接続を行うためのＩＰデータによる送信を行い、ＶｏＩＰ通話を行なうことを特徴とする。
【００１３】
請求項３の本発明のＶｏＩＰ通信システムは、発信側の宅内システムの電話機から送出される前記ＰＢ信号がアナログ電話の電話番号を示すかＩＰアドレスを示すかを判別し、アナログ電話の電話番号を示す場合に、前記ＰＢ信号を送信することにより、前記宅内システムの間で、前記ＶｏＩＰ端末のＩＰアドレスの交換を行うことを特徴とする。
【００１４】
請求項４の本発明のＶｏＩＰ通信システムは、発信側の宅内システムが受信側の宅内システムから前記ＰＢ信号によって前記ＩＰアドレスを受信できない場合、一般電話回線による通話を行うことを特徴とする。
【００１５】
請求項５の本発明のＶｏＩＰ通信システムは、前記ＩＰアドレスの交換を、前記ＰＢ信号の代わりにモデム信号を用いて行うことを特徴とする。
【００１６】
請求項６の本発明のＶｏＩＰ通信システムは、前記ＩＰアドレスに加えて、前記ＰＢ信号によりイーサネット(R)で使用するＭＡＣアドレスの交換を行うことを特徴とする。
【００１７】
請求項７の本発明は、ＡＤＳＬ網に接続されたＶｏＩＰ通信が可能な宅内システムであって、宅内システムの電話機より送出されるＰＢ信号によって、前記宅内システム間で、前記ＶｏＩＰ端末のＩＰアドレスの交換を行うことにより、ＶｏＩＰ通話を行うＶｏＩＰ端末を備えることを特徴とする。
【００１８】
請求項８の本発明の宅内システムは、前記ＶｏＩＰ端末が、発信したアナログ電話の電話番号に対して受信側の宅内システムの電話機が着信応答した後、前記ＰＢ信号を送信することにより、前記宅内システムの間で、前記ＶｏＩＰ端末のＩＰアドレスの交換を行い、通話を切断した後、ＶｏＩＰでの接続を行うためのＩＰデータによる送信を行い、ＶｏＩＰ通話を行なうことを特徴とする。
【００１９】
請求項９の本発明の宅内システムは、前記ＶｏＩＰ端末が、発信側の宅内システムの電話機から送出される前記ＰＢ信号がアナログ電話の電話番号を示すかＩＰアドレスを示すかを判別し、アナログ電話の電話番号を示す場合に、前記ＰＢ信号を送信することにより、前記宅内システムの間で、前記ＶｏＩＰ端末のＩＰアドレスの交換を行うことを特徴とする。
【００２０】
請求項１０の本発明の宅内システムは、前記ＶｏＩＰ端末が、発信側の宅内システムが受信側の宅内システムから前記ＰＢ信号によって前記ＩＰアドレスを受信できない場合、一般電話回線による通話を行うことを特徴とする。
【００２１】
請求項１１の本発明は、ＡＤＳＬ網に接続されたＶｏＩＰ通信が可能な宅内システムに備えられるＶｏＩＰ端末であって、宅内システムの電話機より送出されるＰＢ信号によって、前記宅内システム間で、前記ＶｏＩＰ端末のＩＰアドレスの交換を行うことにより、ＶｏＩＰ通話を行うことを特徴とする。
【００２２】
請求項１２の本発明のＶｏＩＰ端末は、発信したアナログ電話の電話番号に対して受信側の宅内システムの電話機が着信応答した後、前記ＰＢ信号を送信することにより、前記宅内システムの間で、前記ＶｏＩＰ端末のＩＰアドレスの交換を行い、通話を切断した後、ＶｏＩＰでの接続を行うためのＩＰデータによる送信を行い、ＶｏＩＰ通話を行なうことを特徴とする。
【００２３】
請求項１３の本発明のＶｏＩＰ端末は、発信側の宅内システムの電話機から送出される前記ＰＢ信号がアナログ電話の電話番号を示すかＩＰアドレスを示すかを判別し、アナログ電話の電話番号を示す場合に、前記ＰＢ信号を送信することにより、前記宅内システムの間で、前記ＶｏＩＰ端末のＩＰアドレスの交換を行うことを特徴とする。
【００２４】
請求項１４の本発明のＶｏＩＰ端末は、発信側の宅内システムが受信側の宅内システムから前記ＰＢ信号によって前記ＩＰアドレスを受信できない場合、一般電話回線による通話を行うことを特徴とする。
【発明の効果】
【００２５】
本発明によれば、電話を使用する場合に、通信先がＶｏＩＰ対応している場合には、通信先のＩＰアドレスを調べることなしに、ＶｏＩＰ通話が可能となる。
【００２６】
また、ＶｏＩＰ通話では、ＡＤＳＬ回線を使用するため、ユーザーが低価格で、電話を利用できるという利点もある。
【実施例】
【００２７】
以下、本発明の実施の形態について、図面を参照して詳細に説明する。図２は、本発明の第一の実施の形態によるＶｏＩＰ通信システムの構成を示す図である。
【００２８】
図２を参照すると、本実施の形態のＶｏＩＰ通信システムでは、宅内システム１０Ａと宅内システム１０Ｂが、それぞれＡＤＳＬ回線１３０Ａ及びＡＤＳＬ回線１３０Ｂを介してＡＤＳＬ網３００に接続されている。宅内システム１０Ａと宅内システム１０ＢはＡＤＳＬ網３００を通じて、相互にＶｏＩＰ通話を行う。
【００２９】
宅内システム１０ＡはＶｏＩＰ端末１００Ａ、電話機１１０Ａ、ＡＤＳＬモデム１１１Ａ、スプリッタ１１２Ａを備えている。ＶｏＩＰ端末１００Ａは電話機１１０Ａからの音声データを必要に応じてＩＰパケットに変換し、ＶｏＩＰ通信を可能にするためのものである。ＡＤＳＬモデム１１１ＡはＡＤＳＬ回線１１３にＶｏＩＰ端末１００Ａを接続するための一般的なＡＤＳＬモデムであり、線路２１２Ａを介してＶｏＩＰ端末１００Ａに接続される。
【００３０】
線路２１２Ａはイーサネット(R)が使用されることが多いが、ＵＳＢ(Universal Serial Bus)やＩＥＥＥ１３９４などで構成される場合もある。またスプリッタ１１２Ａは、線路２１１Ａ上に伝送されるＡＤＳＬ信号と線路１１０上に伝送される音声信号の帯域を分離するための、一般的なスプリッタである。
【００３１】
線路１２０Ａには電話機１１０Ａからの音声信号が伝送され、線路２１１ＡにはＡＤＳＬモデムからの変調信号が伝送される。
【００３２】
宅内システム１０Ｂは、宅内システム１０Ａと同様の構成であり、ＶｏＩＰ端末１００Ｂ、電話機１１０Ｂ、ＡＤＳＬモデム１１１Ｂ、スプリッタ１１２Ｂを備えている。各構成部品の動作については、上記宅内システム１０Ａの説明で述べたと同様である。
【００３３】
図１は実施の形態による宅内システム１０Ａの構成を示す図である。宅内システム１０Ａは、上記ＶｏＩＰ通信システムの説明で述べたように、ＶｏＩＰ端末１００Ａ、電話機１１０Ａ、ＡＤＳＬモデム１１１Ａ及びスプリッタ１１２Ａより構成される。
【００３４】
以下、図１を用いて、図に点線で囲んだ、本発明のＶｏＩＰ端末１００Ａについて説明する。ＶｏＩＰ端末１００Ａは、図２のＶｏＩＰ端末１００Ａ、１００Ｂと同じ部品構成である。
【００３５】
本発明のＶｏＩＰ端末１００Ａは、電話機１１０Ａ、ＡＤＳＬモデム１１１Ａ及びスプリッタ１１２Ａに接続されている。ＶｏＩＰ端末１００Ａには、当該端末の全体を制御するプロセッサ１０２と、ダイヤル情報や音声信号をＩＰデータに変換するＩＰコア１０１、電話機からの音声信号をＰＣＭ（Pulse Code Modulation）データに変換するためのＣＯＤＥＣ１０３、ＰＢ信号（トーン信号）を受信するためのＰＢ受信機１０４、ＰＢ信号を送信するための送信機１０６及び線路を切り替えるスイッチ１０５が備えられる。
【００３６】
以上に、本実施の形態の装置構成について説明した。
【００３７】
次に本実施の形態によるＶｏＩＰ通話を行う場合の、本発明のＶｏＩＰ通信システムの動作を、図２を用いて説明する。
【００３８】
まず電話番号として宅内システム１０Ａには（１１１−１１１１）が、宅内システム１０Ｂには（２２２−２２２２）が割り当てられているものとする。またＶｏＩＰ通話を行う場合に各端末を識別するためのＩＰアドレスは、宅内システム１０Ａが（１１１．１１１．１１１．１１１）、宅内システム１０Ｂが（２２２．２２２．２２２．２２２）であるとする。これらのＩＰアドレスはＶｏＩＰ端末１００ＡおよびＶｏＩＰ端末１００Ｂの内部に記憶されている。
【００３９】
電話機１１０Ａから電話機１１０Ｂに対して発信を行う場合、電話番号（２２２−２２２２）をダイヤルする。これによって電話機１１０Ｂが着信呼び出しされる。電話機１１０Ｂが着信に応答したら、ＶｏＩＰ端末１００ＡとＶｏＩＰ端末１００Ｂの間でお互いのＩＰアドレスの交換を行う。ＩＰアドレス交換の方法として、ＰＢ信号(トーン信号)を使用する例を説明する。
【００４０】
電話機１１０Ｂが応答した時点で、ＶｏＩＰ端末１００Ａから発信元のＩＰアドレス（１１１．１１１．１１１．１１１）を宅内システム１０Ｂ宛に送信する。ＩＰアドレス送信の手順は幾つか考えられるが、ここでは１つの例を示す。まずＩＰアドレスに先立ってＰＢ信号により＊，＊，＊を送信し、これに続くＰＢ信号がＩＰアドレスを示すものと定義しておく。ＩＰアドレス1桁に対して０〜９までのＰＢ信号の1つを割り当て、＊，＊，＊に続き１２桁をＰＢ信号で送信する。最後にＩＰアドレス伝送終了を示すために＊を送信する。
【００４１】
宅内システム１０Ｂ内のＶｏＩＰ端末１００Ｂは、宅内システム１０Ａから送られてきたＩＰアドレスを受信すると、自分のＩＰアドレスをＰＢ信号によって宅内システム１０Ａ宛に送信する。送信の方法は、上記のＶｏＩＰ端末１００Ａから、宅内システム１０Ｂ宛にＩＰアドレスを送信した場合と同様である。
【００４２】
このようにして、両宅内システムが相手のＩＰアドレスを認識した時点で、電話での通話を一旦切断し、ＶｏＩＰ端末１００Ａから宅内システム１０Ｂに対してＩＰデータによる送信を行う。このＩＰパケットでの送信手順等はＨ．３２３やＳＩＰなどのＶｏＩＰ関連規格で決められているものである。宅内システム１０Ｂは宅内システム１０ＡのＩＰアドレスがわかっているため、そのＩＰデータによる着信に対して応答しＶｏＩＰによる通話が開始される。
【００４３】
次に、本実施の形態によるＶｏＩＰ通話を行う場合の、本発明のＶｏＩＰ端末の動作を説明する。図１は本実施の形態による宅内システム１０Ａの構成を示す図である。また、図３は本実施の形態によるＶｏＩＰ端末の動作を説明するためのフローチャートである。以下、図１を参照して説明を行う。
【００４４】
はじめに宅内システム１０Ａの電話機１１０Ａが宅内システム１０Ｂに向けて発信を行う。スイッチ１０５は最初、電話機１１０ＡとＶｏＩＰ端末１００Ａを接続するように切り替えられており、電話機１１０Ａが発信のために送出するＰＢ信号を、ＰＢ受信機１０４で検出する。ＰＢ受信機１０４で受信されたデータはプロセッサ１０２により解析される。
【００４５】
ＰＢ受信機１０４で検出したＰＢ信号がＶｏＩＰ端末のＩＰアドレスの場合には、プロセッサ１０２はＩＰコア１０１を制御してＩＰパケットによる送信を行うために、線路２１１Ｂを経由してＡＤＳＬモデム１１１ＡにＩＰパケットを送信する。
【００４６】
ＰＢ受信機１０４で検出したＰＢ信号が一般電話の電話番号の場合には、プロセッサ１０２はＰＢ送信機１０６およびスイッチ１０５を制御して線路１２０ＡにＰＢ信号を送信する。
【００４７】
一般電話の電話番号はスプリッタ１１２Ａを介してＰＢ信号で、ＡＤＳＬ回線１３０Ａに送信される。尚、図では記載されていないが、ＡＤＳＬ回線１３０Ａは電話回線も兼ねる。ＰＢ信号は宅内システム１０Ｂに送信され、宅内システム１０Ｂの電話機をオフフックすることで宅内システム１０Ａと宅内システム１０Ｂの電話機は通話状態になる。
【００４８】
通話状態になった直後にプロセッサ１０２はＰＢ送信機１０６およびスイッチ１０５を制御して宅内システム１０ＡのＩＰアドレス（１１１．１１１．１１１．１１１）を送信する。宅内システム１０ＢのＶｏＩＰ端末は相手から送られてきたＰＢ信号をＰＢ受信機で検出し、プロセッサは宅内システム１０ＡのＩＰアドレスを認識する。
【００４９】
宅内システム１０ＢのＶｏＩＰ端末１００Ｂが宅内システム１０ＡのＩＰアドレスを受信すると、宅内システム１０Ｂから同様の手順で（２２２．２２２．２２２．２２２）というＩＰアドレスを宅内システム１０Ａ宛に送信し、宅内システム１０ＡＶｏＩＰ端末のＰＢ受信機５で検出され、プロセッサ１０２により認識される。このようにして、ＩＰアドレスの交換が終わる。
【００５０】
ＩＰアドレスの交換が終わった後、スイッチ１０５を制御して線路１２０Ａを経由して行っていた通話を一旦切断する。切断直後にプロセッサ１０２はＩＰコア１０１を制御して、宅内システム１０Ｂに対してＶｏＩＰによる送信を行う。宅内システム１０Ｂが応答すると、宅内システム１０Ａのプロセッサ１０２は電話機１１０ＡとＣＯＤＥＣ１０３が繋がるようにスイッチを制御し、電話機からの音声データをＰＣＭデータに変換し、ＩＰコアによってＩＰパケット化されたＩＰによる通話を行う。
【００５１】
以上のようにして、本発明の方法により、ＶｏＩＰ通話が可能となる。本発明の方法によれば、通信先がＶｏＩＰ通話に対応している場合には、通信先のＩＰアドレスを調べることなしに、ＶｏＩＰ通話が可能となる。
【００５２】
上記の本実施の形態においては、ＰＢ信号でＩＰアドレスを交換する方法を記載しているが、モデム信号送信機を搭載し、モデム信号によってお互いのＩＰアドレスを交換することもできる。また実施の形態においてはＩＰアドレスの交換を行うことを述べたが、必要に応じてイーサネット(R)で使用するＭＡＣ(Media Access Controller)アドレスの交換も行う場合がある。
【００５３】
また、実施の形態においてはＡＤＳＬモデムとＶｏＩＰ端末を個別の装置として記載しているが、両者を一体化することも可能である。なお、ＶｏＩＰ端末の構成にＩＰコアを記載しているが、特にハードウェア回路で構成する必要はなく、プロセッサによってＩＰパケット化の処理を行う場合も考えられる。
【００５４】
また、実施の形態において電話番号宛の着信を、電話機１１０Ｂのオフフックによって応答すると記載した箇所があるが、ＶｏＩＰ端末１００Ｂの中で擬似的に応答することも可能である。
【００５５】
以上好ましい実施の形態及び実施例をあげて本発明を説明したが、本発明は必ずしも、上記実施の形態及び実施例に限定されるものでなく、その技術的思想の範囲内において様々に変形して実施することができる。
【図面の簡単な説明】
【００５６】
【図１】本発明の第一の実施の形態による、宅内システムの構成を示す図である。
【図２】本発明の第一の実施の形態による、ＶｏＩＰ通信システムの構成を示す図である。
【図３】本発明の方法による、ＶｏＩＰ端末の動作を説明するためのフローチャートである。
【符号の説明】
【００５７】
１０Ａ、１０Ｂ      宅内システム
１００Ａ、１００Ｂ      ＶｏＩＰ端末
１０１      ＩＰコア
１０２      プロセッサ
１０３      ＣＯＤＥＣ
１０４      ＰＢ受信機
１０５      スイッチ
１０６      ＰＢ送信機
１１０Ａ、１１０Ｂ      電話機
１１１Ａ、１１１Ｂ      ＡＤＳＬモデム
１１２Ａ、１１２Ｂ      スプリッタ
１２０Ａ、２１１Ａ、２１２Ａ      線路
１２０Ｂ、２１１Ｂ、２１２Ｂ      線路
１３０Ａ、１３０Ｂ      ＡＤＳＬ回線
３００      ＡＤＳＬ網
【図１】
2005123733.tif 000003
【図２】
2005123733.tif 000004
【図３】
2005123733.tif 000005